【手続補正書】
【提出日】平成27年2月23日(2015.2.23)
【手続補正１】
【補正対象書類名】特許請求の範囲
【補正対象項目名】全文
【補正方法】変更
【補正の内容】
【特許請求の範囲】
【請求項１】
ガス状供給物流から汚染物質を除去する周期的圧力吸着方法であって、
ａ）ガス状供給物流を供給物圧力で吸着剤床中に１秒を超え且つ６０秒未満の吸着時間間隔にわたって通して前記ガス状供給物流から１種類又は２種類以上の汚染物質を分離して製品流を形成するステップと、
ｂ）前記ガス状供給物流の流れを中断させるステップと、
ｃ）複数回の減圧ステップを実施するステップであって、各減圧ステップが前記吸着剤床内の圧力を減圧初期圧力から減圧最終圧力に減少させるステップと、
ｄ）パージ流を前記吸着剤床中に通して前記吸着剤床から炭化水素を除去するステップと、
ｅ）パージされた前記吸着剤床に１回又は２回以上のブローダウンステップを施すステップであって、各ブローダウンステップは、前記吸着剤床内の圧力をブローダウン初期圧力からブローダウン最終圧力に減少させるステップと、
ｆ）複数回の再加圧ステップを実施するステップであって、各再加圧ステップがスイング吸着容器内の圧力を再加圧初期圧力から再加圧最終圧力に増大させるステップと、
ｇ）少なくとも１回の追加のサイクルに関して前記ステップａ）ないし前記ステップｆ）を繰り返し実施するステップと、を備えている、
ことを特徴とする周期的スイング吸着方法。
【請求項２】
前記供給物流は、前記供給物流の全体積を基準として１体積パーセントを超える炭化水素を含む炭化水素含有流、好ましくは天然ガス流である、
請求項１に記載の周期的スイング吸着方法。
【請求項３】
前記供給物流は、炭化水素及びＣＯ2を含み、前記ＣＯ2は１ないし８０ｍｏｌ％であり、前記炭化水素は２０ないし９９ｍｏｌ％である、
請求項１又は２に記載の周期的スイング吸着方法。
【請求項４】
前記吸着剤床は、吸着剤粒子相互間の非掃過ボイド空間を、直径が２０オングストロームを超え且つ１ミクロン未満の細孔内において３０容積％未満に、好ましくは２０容積％未満に、より好ましくは１０容積％未満に減少させるメソ細孔充填材を含む吸着性材料を含む、
請求項１ないし３のいずれか１項に記載の周期的スイング吸着方法。
【請求項５】
前記吸着剤床は２又は３以上の吸着性材料を備え、各吸着性材料は１又は２以上の汚染物質を標的にするように構成されている、
請求項１ないし４のいずれか１項に記載の周期的スイング吸着方法。
【請求項６】
前記吸着剤床は、ＣＯ2に対して選択性を示す第１の吸着性材料及びＨ2Ｓに対して選択性を示す第２の吸着性材料を含む、
請求項１ないし５のいずれか１項に記載の周期的スイング吸着方法。
【請求項７】
前記吸着時間間隔は、２秒を超え且つ５０秒未満、好ましくは１０秒未満である、
請求項１ないし６のいずれか１項に記載の周期的スイング吸着方法。
【請求項８】
前記パージ流は、４０ｍｏｌパーセント未満のメタンを含む、
請求項１ないし７のいずれか１項に記載の周期的スイング吸着方法。
【請求項９】
前記吸着剤床は、ＣＯ2とメタンの単一成分拡散係数の比が１０を、好ましくは１００超える吸着性材料を含む、
請求項１ないし８のいずれか１項に記載の周期的スイング吸着方法。
【請求項１０】
前記吸着剤床は、複数本のチャネルが貫通して形成された構造化接触器を含む、
請求項１ないし９のいずれか１項に記載の周期的スイング吸着方法。
【請求項１１】
前記供給物圧力は、３５０ｐｓｉｇを、好ましくは５００ｐｓｉｇを超える、
請求項１ないし１０のいずれか１項に記載の周期的スイング吸着方法。
【請求項１２】
前記方法は、前記製品流中の所望の製品の量を前記ガス状供給物流中の所望の製品の量で除算して得られる比に基づいて前記所望の製品の９０％を超える、好ましくは９５％を超える、より好ましくは９７％を超える量を回収する、
請求項１ないし１１のいずれか１項に記載の周期的スイング吸着方法。
【請求項１３】
前記減圧ステップの各々は、前記吸着剤床中の前記供給物流の一部分を均圧化タンクに移し、次に前記再加圧ステップの１つの実施中、前記一部分の少なくとも何分の一かを前記均圧化タンクから前記吸着剤床に移すステップを含む、
請求項１ないし１２のいずれか１項に記載の周期的スイング吸着方法。
【請求項１４】
前記１回又は２回以上のブローダウンステップの実施後であって前記ステップａ）ないしｆ）の繰り返しに先立って、第２のパージを前記吸着剤床中に通すステップを更に含む、
請求項１ないし１３のいずれか１項に記載の周期的スイング吸着方法。
【請求項１５】
前記ガス状供給物流は、汚染物質しきい値を超える１種類又は２種類以上の汚染物質を含み、前記１種類又は２種類以上の汚染物質は、１ないし８０ｍｏｌパーセントＣＯ2、１ｍｏｌパーセント未満のＨ2Ｓ及びこれらの任意の組み合わせの１つ又は２つを含み、前記汚染物質しきい値は、１０ｐｐｍ（１００万当たりの部）未満のＨ2Ｓ、４ｍｏｌパーセント未満のＣＯ2及びこれら任意の組み合わせの１つ又は２つを含み、前記製品流は、前記汚染物質しきい値未満の汚染物質を含む、
請求項１ないし１４のいずれか１項に記載の周期的スイング吸着方法。
【請求項１６】
追加の前記パージ流は、前記パージ流の全体積を基準として８０体積％を超えるＣＯ2を含む、
請求項１ないし１５のいずれか１項に記載の周期的圧力スイング吸着方法。
【請求項１７】
追加の前記パージ流は、前記パージ流の全体積を基準として８０体積％を超えるＮ2を含む、
請求項１ないし１５のいずれか１項に記載の周期的圧力スイング吸着方法。
【請求項１８】
追加の前記パージ流は、前記追加のパージ流の全体積を基準として８０体積％を超える所望生成物を含む、
請求項１５に記載の周期的圧力スイング吸着方法。
【請求項１９】
前記複数回のブローダウンステップを実施する前記ステップは、前記複数回のブローダウンステップの１つの実施中、前記排気物流を第１の方向に流すステップ及び前記複数回のブローダウンステップの別の１つの実施中、前記排気物流を第２の方向に流すステップを含む、
請求項１ないし１８のいずれか１項に記載の周期的圧力スイング吸着方法。
【請求項２０】
前記吸着剤床は、層の状態に形成された吸着性材料を含む、
請求項１ないし１９のいずれか１項に記載の周期的圧力スイング吸着方法。
【請求項２１】
前記サイクル中の前記ステップの全てを完了させるのに要する全サイクル時間は、３０秒未満、好ましくは１５秒未満である、
請求項１ないし２０のいずれか１項に記載の周期的スイング吸着方法。
【請求項２２】
汚染物質しきい値は、Ｈ2Ｓが４ｐｐｍ未満である、
請求項１ないし２１のいずれか１項に記載の周期的スイング吸着方法。
【請求項２３】
汚染物質しきい値は、ＣＯ2が２ｍｏｌパーセント未満である、
請求項１ないし２１のいずれか１項に記載の周期的スイング吸着方法。
【請求項２４】
前記吸着剤床は、ＣＯ2とメタンの単一成分拡散係数の比が１０を、好ましくは１００を超える吸着性材料を含む、
請求項１ないし２３のいずれか１項に記載の周期的スイング吸着方法。
【請求項２５】
前記ガス状供給物流を前記ブローダウンステップ及び減圧ステップの１つ又は２つ以上から第２のＲＣ-ＰＳＡシステムの吸着剤床中に通して前記ガス状供給物流から炭化水素を除去するステップを更に含む、
請求項１ないし２４のいずれか１項に記載の周期的スイング吸着方法。
【請求項２６】
天然ガス流からＣＯ2を除去するスイング吸着方法であって、
ａ）メタン及びＣＯ2を含む天然ガス流をＣＯ2の吸着に選択性を示す吸着性材料で構成された吸着剤床の供給物入力端部中に導入することによって前記天然ガス流に吸着ステップを施すステップであって、前記吸着剤床は前記供給物入力端部及び製品出力端部を有し、前記吸着剤床は第１の圧力及び第１の温度で稼働され、前記ＣＯ2の少なくとも一部分は吸着剤床によって吸着され、メタンが富化されると共にＣＯ2が減少したガス状製品が前記吸着剤床の前記製品出力端部から出て、前記吸着性材料は多孔質であり、前記吸着性材料は、有効量の非吸着性メソ細孔充填材を含み、前記吸着ステップは１０秒未満の期間にわたって実施されるステップと、
ｂ）前記吸着剤床への前記天然ガス流の導入を停止させ、その後前記吸着剤床の前記製品出力端部から前記標的種を漏出させるステップと、
ｃ）前記吸着剤床に連続して１回ないし１０回の均圧化ステップを施すステップであって、前記吸着剤床の圧力は連続した前記ステップの各々により所定量だけ減少するステップと、
ｄ）ＣＯ2が富化された高圧ガス状流を前記吸着剤床中に導いて前記吸着剤床から炭化水素を除去するステップと、
ｅ）パージ後の前記吸着剤床に多数回の連続したブローダウンステップを施すステップであって、前記吸着剤床の圧力が連続した前記ブローダウンステップの各々により所定量ずつ減少するステップと、
ｆ）前記吸着剤床に連続した１回ないし１０回の均圧化ステップを施すステップであって、前記吸着剤床の圧力が連続した前記ステップの各々により所定量ずつ増大するステップと、
ｇ）供給物を用いて前記吸着剤床を供給物圧まで再加圧するステップと、備えている、
ことを特徴とするスイング吸着方法。